(57)【要約】【課題】  ネクタイの結び目を覆うネクタイ結び目覆いを提供しようとする。【解決手段】  従来のネクタイの結び目を覆うネクタイ結び目覆いにかわって、略帯状の形状をもち屈曲可能なシート状の覆い本体と、一組の面ファスナーと、を備え、前記面ファスナーの一方が前記覆い本体の略帯状の一方の端部の表面に固定され、前記面ファスナーの他方が前記覆い本体の略帯状の他方の端部の裏面に固定され、前記覆い本体は、略帯状の形状をもつ屈曲可能な弾性シートである芯材と前記心材の少なくとも一方の表面を覆う布材とを有し、前記形状が、帯状の両端に２辺で形成されたとんがり部を各々にもつ、ものとした。【選択図】    図６
0003148518.tif 000002
【実用新案登録請求の範囲】
【請求項１】
ネクタイの結び目を覆うネクタイ結び目覆いであって、
略帯状の形状をもち屈曲可能なシート状の本体である覆い本体と、
一組の面ファスナーと、
を備え、
前記面ファスナーの一方が前記覆い本体の略帯状の一方の端部の表面に固定され、
前記面ファスナーの他方が前記覆い本体の略帯状の他方の端部の裏面に固定される、
ことを特徴とするネクタイ結び目覆い。
【請求項２】
ネクタイの結び目を覆うネクタイ結び目覆いであって、
略帯状の形状をもち屈曲可能なシート状の本体である覆い本体を備え、
前記覆い本体が略帯状の前記形状の一方の端部の表面または略帯状の前記形状の他方の端部の裏面のうちの少なくも一方に粘着面または接着面のうちの一方を設けられる、
を備えることを特徴とするネクタイ結び目覆い。
【請求項３】
前記覆い本体は、略帯状の形状をもつ屈曲可能な弾性シートである芯材と、
前記心材の少なくとも一方の表面を覆う布材とを有する、
ことを特徴とする請求項１または請求項２のうちのひとつに記載のネクタイ結び目覆い。
【請求項４】
前記形状が、帯状の両端に２辺で形成されたとんがり部を各々にもつ、
ことを特徴とする請求項１または請求項２のうちのひとつに記載のネクタイ結び目覆い。
【考案の詳細な説明】
【技術分野】
【０００１】
本考案は、ネクタイの結び目を覆うネクタイ結び目覆いに係る。
【背景技術】
【０００２】
ネクタイは、男子の重要なおしゃれの一つである。
ネクタイは、布等でできた一本の帯状のものである。
上衣のカラーの上からネクタイを巻き、首の前部に結び目をつくる。
ネクタイの柄が、結び目にも現れる。
【０００３】
考案者は、結び目に異なるアクセントを付けられないかと考えた。
【０００４】
【特許文献１】実開平０６−０８４９１０号
【考案の開示】
【考案が解決しようとする課題】
【０００５】
本考案は以上に述べた問題点に鑑み案出されたもので、ネクタイの結び目を覆うネクタイ結び目覆いを提供しようとする。
【課題を解決するための手段】
【０００６】
上記目的を達成するため、本考案に係るネクタイの結び目を覆うネクタイ結び目覆いを、略帯状の形状をもち屈曲可能なシート状の本体である覆い本体と、一組の面ファスナーと、を備え、前記面ファスナーの一方が前記覆い本体の略帯状の一方の端部の表面に固定され、前記面ファスナーの他方が前記覆い本体の略帯状の他方の端部の裏面に固定される、ものとした。
【０００７】
上記本考案の構成により、覆い本体は、略帯状の形状をもち屈曲可能なシート状のものである。前記面ファスナーの一方が前記覆い本体の略帯状の一方の端部の表面に固定される。前記面ファスナーの他方が前記覆い本体の略帯状の他方の端部の裏面に固定される。
その結果、ネクタイの結び目を囲い、一組の面ファスナーを組み合わせると、ネクタイの結び目を覆うことができる。
【０００８】
上記目的を達成するため、本考案に係るネクタイの結び目を覆うネクタイ結び目覆いを、略帯状の形状をもち屈曲可能なシート状の本体である覆い本体を備え、前記覆い本体が略帯状の前記形状の一方の端部の表面または略帯状の前記形状の他方の端部の裏面のうちの少なくも一方に粘着面または接着面のうちの一方を設けられる、ものとした。
【０００９】
上記本考案の構成により、覆い本体は、略帯状の形状をもち屈曲可能なシート状のものである。粘着面または接着面のうちの一方が前記覆い本体の略帯状の前記形状の一方の端部の表面または略帯状の前記形状の他方の端部の裏面のうちの少なくも一方にを設けられる。
その結果、ネクタイの結び目を囲い、前記覆い本体の略帯状の前記形状の一方の端部の表面と略帯状の前記形状の他方の端部の裏面とを粘着または接着すると、ネクタイの結び目を覆うことができる。
【００１０】
以下に、本考案の実施形態に係るネクタイ結び目覆いを説明する。本考案は、以下に記載した実施形態のいずれか、またはそれらの中の二つ以上が組み合わされた態様を含む。
【００１１】
さらに、本考案の実施形態に係るネクタイ結び目覆いは、前記覆い本体は、略帯状の形状をもつ屈曲可能な弾性シートである芯材と、前記心材の少なくとも一方の表面を覆う布材とを有する、
上記本考案の構成により、芯材は、略帯状の形状をもつ屈曲可能なプラスチック製シートである。布材は、前記心材の少なくとも表面を覆う。
その結果、覆い本体の表面に好みの色または柄等を付けることをできる。
【００１２】
さらに、前記形状が帯状の両端に２辺で形成されたとんがり部を各々にもつ。
上記本考案の構成により、２辺で形成されるとんがり部が、帯状の両端に各々にある。
その結果、ネクタイの結び目を囲い、とんがり部を形成する２辺のうち１辺をそろえると、表に台形形状を作ることをできる。
【考案の効果】
【００１３】
以上説明したように本考案に係るネクタイ結び目覆いは、その構成により、以下の効果を有する。
略帯状の形状を持ち屈曲可能なシート状の覆い本体の両端を一組の面ファスナーで繋げる様にしたので、一組の面ファスナーを組み合わせると、覆い本体を輪状に形成してネクタイの結び目を覆うことができる。
略帯状の形状を持ち屈曲可能なシート状の覆い本体の両端を接着または粘着できる様にしたので、覆い本体を輪状に形成してネクタイの結び目を覆うことができる。
また、覆い本体を弾性シートの芯材と芯材の表面を覆う布材とで覆い本体を作ったので、覆い本体の表面に好みの色または柄等を付けることをできる。
また、２辺で形成されるとんがり部が帯状の両端に各々にある様にしたので、ネクタイの結び目を囲い、とんがり部を形成する２辺のうち１辺をそろえると、表に台形形状を作ることをできる。
従って、ネクタイの結び目を覆うネクタイ結び目覆いを提供できる。
【考案を実施するための最良の形態】
【００１４】
以下、本考案を実施するための最良の形態を、図面を参照して説明する。なお、各図において、共通する部分には同一の符号を付し、重複した説明を省略する。
【００１５】
最初に、本考案の第一の実施形態に係るネクタイ結び目覆いを、図を基に、説明する。
図１は、本考案の第一の実施形態に係るネクタイ結び目覆いの正面図である。図２は、本考案の第一の実施形態に係るネクタイ結び目覆いの裏面図である。図３は、本考案の第一の実施形態に係るネクタイ結び目覆いのＡ−Ａ断面図である。
【００１６】
ネクタイ結び目覆いは、ネクタイの結び目を覆うものであって、覆い本体１０と一組の面ファスナー２０とで構成される。
覆い本体１０は、略帯状の形状をもち屈曲可能なシート状のものである。
図１、図２は、両端が各々に２辺で形成されたとんがり部をもつ帯状の形状を持った覆い本体を示す。
面ファスナーの一方２１が覆い本体１０の略帯状の一方の端部の表面に固定され、面ファスナーの他方２２が覆い本体１０の略帯状の他方の端部の裏面に固定される。
図１は、面ファスナーの一方２１が覆い本体１０の略帯状の一方の端部のとんがり部を形成する２辺のうちの１辺に沿って表面に固定されるのを示す。
図２は、面ファスナー２０の他方２２が覆い本体１０の略帯状の他方の端部のとんがり部を形成する２辺のうちの1辺に沿って裏面に固定される。
【００１７】
覆い本体１０は、芯材１１と布材１２とで構成される。
芯材１１は、略帯状の形状をもつ屈曲可能な弾性シートである。
弾性シートは、弾性のあるシート状部材の意味である。
例えば、弾性シートは、プラスチック製シート、薄い金属板製シート、その他である。
布材１２は、心材の少なくとも一方の表面を覆うものである。
図１、図２は、布材１２は、芯材１１の表面の全てと裏面の帯状形状を形成する上辺と下辺とに沿った一部の領域を覆うのを示す。
【００１８】
次に、本発明の第一の実施形態にかかるネクタイ結び目覆いの使用方法を、図を基に、説明する。
図６は、本考案の実施形態に係るネクタイ結び目覆いの使用説明図である。
覆い本体１０の帯状の形状の長手方向を水平に沿って延ばし、帯状形状の両端をネクタイの結び目の裏に折り込む。
ネクタイの結び目の裏で、一組の面ファスナーが結合する。
ネクタイの表側には、台形を上下逆さまにした形状ができ上がる。
台形を上下逆さまにした形状がネクタイの結び目を隠す。
図６は、ネクタイがない状態で、一組の面ファスナーを結合した様子を示す。
【００１９】
次に、本考案の第二の実施形態に係るネクタイ結び目覆いを、図を基に、説明する。
図４は、本考案の第二の実施形態に係るネクタイ結び目覆いの正面図である。図５は、本考案の第二の実施形態に係るネクタイ結び目覆いの裏面図である。
第一の実施形態に係るネクタイ結び目覆いと同じ部分の説明を省略して、異なる点を説明する。
【００２０】
ネクタイ結び目覆いは、ネクタイの結び目を覆うものであって、覆い本体１０で構成される。
覆い本体１０は、略帯状の形状をもち屈曲可能なシート状のものであり、略帯状の形状の一方の端部の表面または略帯状の形状の他方の端部の裏面のうちの少なくも一方に粘着面または接着面３０のうちの一方を設けられる。
覆い本体１０の形状は、第一の実施形態にかかるネクタイ結び目覆いのものと同じなので、説明を省略する。
例えば、粘着面または粘着面３０が、略帯状の形状の一方の端部の表面に設けられる。
例えば、粘着面または粘着面３０が、略帯状の形状の他方の端部の裏面に設けられる。
例えば、１対の粘着面または粘着面３０が、略帯状の形状の一方の端部の表面及び略帯状の形状の他方の端部の裏面に設けられる。
粘着面または粘着面３０の形状および位置は、第一の実施形態にかかるネクタイ結び目覆いの１対の面ファスナーの形状及び位置と同じである。
【００２１】
覆い本体１０の構造は、第一の実施形態にかかるネクタイ結び目覆いのものと同じなので、省略する。
【００２２】
次に、本発明の第二の実施形態にかかるネクタイ結び目覆いの使用方法を、説明する。
覆い本体１０の帯状の形状の長手方向を水平に沿って延ばし、帯状形状の両端をネクタイの結び目の裏に折り込む。
ネクタイの結び目の裏で、覆い本体１０の略帯状の一方の端部の表面と略帯状の他方の端部の裏面とが粘着面または接着面３０により接合される。
ネクタイの表側には、台形を上下逆さまにした形状ができ上がる。
台形を上下逆さまにした形状がネクタイの結び目を隠す。
ネクタイがない状態で、覆い本体１０のの両端が接合した様子は、第一の実施形態にかかるネクタイ結び目覆いの様子と同じである。
【００２３】
上述の実施形態のネクタイ結び目覆いを用いれば、以下の効果を発揮する。
略帯状の形状を持ち屈曲可能なシート状の覆い本体の両端を一組の面ファスナーで繋げる様にしたので、一組の面ファスナーを組み合わせると、ネクタイの結び目を覆うことができる。
略帯状の形状を持ち屈曲可能なシート状の覆い本体の両端を接着または粘着できる様にしたので、覆い本体を輪状に形成してネクタイの結び目を覆うことができる。
また、覆い本体をプラスチック製シートの芯材と芯材の表面を覆う布材とで覆い本体を作ったので、覆い本体の表面に好みの色または柄等を付けることをできる。
【００２４】
本考案は以上に述べた実施形態に限られるものではなく、考案の要旨を逸脱しない範囲で各種の変更が可能である。
覆い本体を、芯材と布材とで構成する例を説明したが、これに限定されず。覆い本体を布材だけで構成してもよい。
【図面の簡単な説明】
【００２５】
【図１】本考案の第一の実施形態に係るネクタイ結び目覆いの正面図である。
【図２】本考案の第一の実施形態に係るネクタイ結び目覆いの裏面図である。
【図３】本考案の第一の実施形態に係るネクタイ結び目覆いのＡ−Ａ断面図である。
【図４】本考案の第二の実施形態に係るネクタイ結び目覆いの正面図である。
【図５】本考案の第二の実施形態に係るネクタイ結び目覆いの裏面図である。
【図６】本考案の実施形態に係るネクタイ結び目覆いの使用説明図である。
【００２６】
１０  覆い本体
１１  芯材
１２  布材
２０  １組の面ファスナー
２１  面ファスナーの一方
２２  面ファスナーの他方
３０  粘着面または接着面
【図１】
0003148518.tif 000003
【図２】
0003148518.tif 000004
【図３】
0003148518.tif 000005
【図４】
0003148518.tif 000006
【図５】
0003148518.tif 000007
【図６】
0003148518.tif 000008